(57)【要約】【課題】外付け電源供給装置が不要な電源装置を提供する。【解決手段】第一電源モジュール１０及び第二電源モジュール２０を備える。第一電源モジュール１０は第一電圧源１１及び／或いは第二ブースト回路を有する。第一電圧源１１は第一出力電圧を有し、始動時に第一電圧源１１は始動した電流を主回路３１に供給する。第二電源モジュール２０は第一ブースト回路２４及び始動回路２５を有する。第二電圧源２１は、パソコンからの接続ポート２２を経由して第一ブースト回路２４に接続されている。第一ブースト回路２４から出力される第一動作電流は、始動回路２５を経由して主回路３１に出力され、第一電源モジュール１０の始動電流を替えて、電源装置の給電を維持する。【選択図】図１
0003183242.tif 000002
【実用新案登録請求の範囲】
【請求項１】
外付け携帯装置に接続されている主回路と、
前記主回路へ始動電流Ａ１を供給する第一電圧源を有する第一電源モジュールと、
第一ブースト回路及び当該第一ブースト回路に電気的に接続されている始動回路を有する第二電源モジュールと、を備え、
前記第一ブースト回路は、第二電圧源の第二出力電圧Ｖ２が入力されると、第一動作電流Ａ２を出力し、
前記第一動作電流Ａ２は、前記始動回路を経由して前記主回路に出力され、前記第一電源モジュールの前記始動電流Ａ１の替りに前記主回路に供給されることを特徴とする電源装置。
【請求項２】
前記第一電圧源は、リチウム電池、ニッケル水素電池、或いはリチウムイオン電池のうち少なくとも一つを含むことを特徴とする請求項１に記載の電源装置。
【請求項３】
前記第一電圧源は、１１．１から１１．７ボルト（Ｖ）の出力電圧、或いは、３から５アンペア（Ａ）の出力電流を有することを特徴とする請求項１に記載の電源装置。
【請求項４】
前記第二電圧源は、４．５から５．５ボルト（Ｖ）の出力電圧、或いは、３００から４００ミリアンペア（ｍＡ）の出力電流を有することを特徴とする請求項３に記載の電源装置。
【請求項５】
前記第一ブースト回路は、１１．７から１２．５８ボルト（Ｖ）の入力電圧、或いは、３００から４００ミリアンペア（ｍＡ）の出力電流を有することを特徴とする請求項４に記載の電源装置。
【請求項６】
前記第一電源モジュールは、前記第一電圧源および前記主回路に電気的に接続されている第二ブースト回路をさらに有し、
前記第二ブースト回路は、始動電流Ａ１を主回路に出力することを特徴とする請求項１に記載の電源装置。
【請求項７】
前記第一電圧源は、３．７から７．４ボルト（Ｖ）の出力電圧、或いは、３から５アンペア（Ａ）出力電流を有することを特徴とする請求項６に記載の電源装置。
【請求項８】
前記第一電源モジュールの前記第二ブースト回路が出力する電圧は１１．１から１１．７ボルト（Ｖ）であることを特徴とする請求項７に記載の電源装置。
【請求項９】
前記第一電圧源は、３．７から７．４ボルト（Ｖ）の出力電圧、或いは、３から５アンペア（Ａ）の出力電流を有することを特徴とする請求項８に記載の電源装置。
【請求項１０】
前記第二電圧源は、４．５から５．５ボルト（Ｖ）の出力電圧、或いは、３００から４００ミリアンペア（ｍＡ）の出力電流を有し、
前記第二電源モジュールの前記第一ブースト回路の出力電圧は１１．７から１２．５８ボルト（Ｖ）であることを特徴とする請求項９に記載の電源装置。
【請求項１１】
第一電源モジュール、第二電源モジュール、及び主回路モジュールを備え、
前記第一電源モジュールは、第一電圧源及び当該第一電圧源に電気的に接続されている中断回路を有し、
前記第二電源モジュールは、第二電圧源に電気的に接続されている第一ブースト回路及び前記第一ブースト回路に電気的に接続されている始動回路を有し、
前記主回路モジュールは主回路及び降圧回路を有し、前記主回路は前記降圧回路を経由して前記第二電圧源に電気的に接続されていることを特徴とする電源装置。
【請求項１２】
前記第一電圧源は、出力電圧が１１．１から１１．７ボルト（Ｖ）であり、出力電流が３から５アンペア（Ａ）であり、
前記中断回路は、１１．１から１１．７ボルト（Ｖ）の第一出力電圧Ｖ１、及び、３から５アンペア（Ａ）の始動電流Ａ１を出力することを特徴とする請求項１１に記載の電源装置。
【請求項１３】
前記第一電源モジュールは、前記中断回路に電気的に接続されている第二ブースト回路を更に有することを特徴とする請求項１１に記載の電源装置。
【請求項１４】
前記第二電源モジュールは、前記第一ブースト回路に電気的に接続される接続ポートをさらに有することを特徴とする請求項１２または請求項１３に記載の電源装置。
【請求項１５】
前記接続ポートは、パソコン装置からの第二出力電圧Ｖ２が入力され、分流方式で第一電位Ｖ４、第二電位Ｖ５、及び第三電位Ｖ６をそれぞれ出力することを特徴とする請求項１４に記載の電源装置。
【請求項１６】
前記第一電位Ｖ４は、前記第一ブースト回路に出力され、
前記第一ブースト回路は、１１．７から１２．５８ボルト（Ｖ）の出力電圧、或いは、３００ミリアンペア（ｍＡ）から５アンペア（Ａ）の第一動作電流Ａ２を出力することを特徴とする請求項１５に記載の電源装置。
【請求項１７】
前記第二電位Ｖ５は、外付けの携帯装置に出力されることを特徴とする請求項１５に記載の電源装置。
【請求項１８】
前記第三電位Ｖ６は、前記降圧回路により降圧され、前記主回路に出力され、３．３ボルト（Ｖ）或いは１．２ボルト（Ｖ）であることを特徴とする請求項１５に記載の電源装置。
【請求項１９】
前記第一動作電流Ａ２は、前記始動回路に入力され、
前記始動回路は、外付け携帯装置のハードディスク及び前記中断回路に電気的に接続されていることを特徴とする請求項１６に記載の電源装置。
【請求項２０】
前記始動回路は、第二出力電圧Ｖ２を前記第一電源モジュールの始動電流Ａ１に切り替え、外付け携帯装置内のハードディスク或いは光学ドライブに対して安定的な給電を行うことを特徴とする請求項１７に記載の電源装置。
【考案の詳細な説明】
【技術分野】
【０００１】
本考案は、電源装置に関し、詳しくは、外付け携帯装置の電源装置に関する。
【背景技術】
【０００２】
近年、ネットブック、タブレット型パソコン（Ｔａｂｌｅｔ  ＰＣ）、ウルトラブック等の携帯装置が半普及しているが、これらの携帯装置に内蔵されるメモリ容量が少ない。そのため、デジタルデータ或いはそのコピーを保存するための外付け式ハードディスクの需要が高まっている。
【考案の概要】
【考案が解決しようとする課題】
【０００３】
しかしながら、前述した従来の技術では、ハードディスクの大量のファイルにアクセスし処理する場合、好ましい伝送速度を維持し、データアクセスをスムーズに行うため、ハードディスクを高速化する必要がある。ここで、特に３．５インチハードディスクはモーターの回転速度が速いものが使われている。３．５インチハードディスクは、少なくとも１つの１２Ｖ／２Ａ或いは１２Ｖ／１Ａの外付け電源供給装置が必要である。よって、ハードディスクの携帯性が制限される。回転速度の速いハードディスク或いは光学ドライブの携帯性を如何に向上するかはメーカーにとって解決させねばならない課題である。
【０００４】
そこで、本考案者は、上記の欠点が改善可能と考え、検討を重ねた結果、上記の課題を改善する本考案を提案した。
【０００５】
本考案は、上述の問題に鑑みてなされたものであり、その目的は、外付け携帯装置の電源装置を提供することにある。
【課題を解決するための手段】
【０００６】
上述した課題を解決し、目的を達成するために、本考案に係る外付け携帯装置の電源装置は、第一電源モジュール及び第二電源モジュールを備える。第一電源モジュールは、第一電圧源及び／或いは第二ブースト回路を有する。第一電圧源は、第一出力電圧を有し、これにより主回路に始動電流を出力する。第二電源モジュールは、第一ブースト回路及び始動回路を有する。第二電源モジュールの第二電圧源は、パソコンから接続ポートに出力され、第一ブースト回路を経由して昇圧される第一動作電流を出力する。第一動作電流は始動回路を経由して主回路に出力される。第一動作電流は、第一電源モジュールの始動電流の代わりに、給電を維持する。
【０００７】
これにより、第一電源モジュールは外付けの携帯装置内部に設置され、第二電圧源は、始動回路に出力し、第一電源モジュールの始動電流の代わりに電流を外付け携帯装置内の主回路に供給する。直流の電池電源を使用することで、コンセント必要せず、或いは、電源供給装置を使用させずに外付けの携帯装置内の３．５インチハードディスクや光学ドライブを駆動することができる。よって、外付け携帯装置内のハードディスクのデータにアクセスしてロードや書き込みを安定的に行うことができ、外付け携帯装置の携帯性及び移動性を高めることができる。３．５インチハードディスクが装着されている外付け携帯装置をパソコン装置に接続した後、パソコン装置から供給される電力のみで作動し、データにアクセスすることができ、外付け電源供給装置または変圧器を使用せずに３．５インチハードディスクを起動し作動させることができる。
【０００８】
さらに、本考案に係る外付け携帯装置の電源装置の第一電源モジュールは中断回路を有し、外付け携帯装置の電源を切る際、第二電源モジュールも同時に給電を停止し、中断回路が第一電源モジュールの給電を中断することでエネルギの消耗を大幅に抑え、二酸化炭素排出量を削減することができる。
【０００９】
本考案によれば、第一電源モジュール及び第二電源モジュールは外付け携帯装置内部に設置され、外付け電源をコンセントに繋げず、或いは電源供給装置を使用せずに外付けの携帯装置内の３．５インチハードディスク或いは光学ドライブを駆動して作動させデータにアクセスすることができ、外付け携帯装置の携帯性及び移動性を高めることができる。第一電源モジュールは中断回路を有し、外付け携帯装置の電源を切ると、中断回路は第一電圧源が持続的に給電するのを中断させ、二酸化炭素排出量を削減する効果が得られる。
【図面の簡単な説明】
【００１０】
【図１】本考案の第一実施形態による電源装置を説明する模式図である。
【図２】本考案の第一実施形態による電源装置を説明する模式図である。
【図３】本考案の第二実施形態による電源装置を説明する模式図である。
【図４】本考案の第三実施形態による電源装置を説明する模式図である。
【図５】本考案の第四実施形態による電源装置を説明する模式図である。
【考案を実施するための形態】
【００１１】
以下、図面に基づいて、本考案の実施形態について、詳細に説明する。なお、本考案は、以下の実施形態により限定されるものではない。
（第一実施形態）
まず、本考案の第一実施形態による電源装置について説明する。
図１外付け携帯装置４０は、ハードディスク（３．５インチハードディスク）或いは光学ドライブを備え、電源装置２００は第一電源モジュール１０及び第二電源モジュール２０を備える。第一電源モジュール１０は第一電圧源１１を含む。第一電圧源１１は、例えばリチウム電池、ニッケル水素電池、或いはリチウムイオン電池等の直流電力を供給する充電式の電池を含み、第一出力電圧Ｖ１を有し始動電流Ａ１を出力する。第一電圧源１１が出力する第一出力電圧Ｖ１は直流電圧であり、電圧は約１１．１から１１．７ボルト（Ｖ）であり、始動電流Ａ１は約３から５アンペア（Ａ）であり、外付け携帯装置内に設けられているハードディスク（３．５インチハードディスク）を始動する。
【００１２】
第二電源モジュール２０は第一ブースト回路２４及び始動回路２５を有する。第一ブースト回路２４の第二電圧源２１はパソコン装置１２０（図２に示すように、）の第一インターフェース出力ポート１２２及び第二インターフェース出力ポート１２３から給電される。ここで、Ｙ字型のＵＳＢ伝送線５０を用いて第二出力電圧Ｖ２を第二電源モジュール２０の接続ポート２２に伝送する。接続ポート２２はＵＳＢであり、接続ポート２２は第一ブースト回路２４に電気的に接続されている。第二出力電圧Ｖ２は、第一ブースト回路２４に出力され、ブースト回路２４により昇圧され、１１．７から１２．５８ボルト（Ｖ）になる。ブースト回路２４は始動回路２５に再び電気的に接続され、第二出力電圧Ｖ２を始動回路２５に伝送する。始動回路２５は、外付けの携帯装置４０の主回路３１に電気的に接続されている。始動回路２５により、第一電源モジュール１０の始動電流Ａ１の代わりに、第二出力電圧Ｖ２が外付け携帯装置４０内のハードディスク或いは光学ドライブに安定的に給電する。
【００１３】
図１及び図２に示すように、外付け携帯装置４０は、主回路３１及び電源装置２００を有する。主回路３１は、電源装置２００の第一電源モジュール１０及び第二電源モジュール２０にそれぞれ電気的に接続されている。接続ポート２２は始動信号を主回路３１に伝送する。外付け携帯装置４０の内部に設置されている第一電圧源１１は始動電流（瞬間の高負荷電流）を主回路３１に伝送し、外付け携帯装置４０内のハードディスク或いは光学ドライブを始動させる。パソコン装置１２０からの第二電源モジュール２０の第二電圧源２１は、ＵＳＢ伝送線５０により接続ポート２２に接続されている。第二電圧源２１は、第二出力電圧Ｖ２を第一ブースト回路２４に出力する。第二出力電圧Ｖ２は、第一ブースト回路２４により昇圧され、１１．７から１２．５８ボルト（Ｖ）となり、第一動作電流Ａ２となる。第一動作電流Ａ２は、始動回路２５に伝送され、第一電源モジュール１０が出力する始動電流Ａ１の代わりに、外付け携帯装置４０内の主回路３１に接続されているハードディスク或いは光学ドライブに供給することで、データへのアクセスを行い、第一電圧源１１に対し充電を行う。本実施形態の外付け式ハードディスクの駆動装置２００は、外付け携帯装置４０内部に設置される充電式の直流電池１１０を利用するためコンセント等の外付け電源を必要としない。また、１２ボルト（Ｖ）の電源供給装置を使用する必要がない。よって、携帯性及び移動性を高めることができる。また、Ｙ字型のＵＳＢ伝送線５０を携帯するのみでよく、ユーザーはハードディスクの携帯が容易となり、充電式の直流電池１１０は何度も充電可能であり、使い捨ての電池に比べて環境に良い。また、第一ブースト回路２４は直流電圧を利用するので３．５インチの外付け携帯装置４０を安定的に駆動することができる。これにより、エネルギを節約することができ、二酸化炭素排出量を削減することができる。パソコン装置１２０から供給される電力を利用するのみで外付け携帯装置４０を持続的に作動し、データのアクセスを行うことができるので、エネルギの消耗を抑え、二酸化炭素排出量を削減することができる。
【００１４】
（第二実施形態）
次は、本考案の第二実施形態による電源装置について説明する。
図３に示すように、本実施形態の電源装置２００は、第一電源モジュール１０、第二電源モジュール２０、及び主回路モジュール３０を備える。第一電源モジュール１０は、第一電圧源１１及び中断回路１２を有する。第一電圧源１１の、電圧は、約１１．１から１１．７ボルト（Ｖ）であり、電流は３から５アンペア（Ａ）である。第一電圧源１１は、中断回路１２に電気的に接続され、中断回路１２を経由して１１．１から１１．７ボルト（Ｖ）の第一出力電圧Ｖ１及び３から５アンペア（Ａ）の始動電流Ａ１を出力し、外付け携帯装置４０内に納置されるハードディスク４１（３．５インチハードディスク）を始動させる。
【００１５】
第二電源モジュール２０は第一ブースト回路２４及び始動回路２５を有する。第二電源モジュール２０はＵＳＢの接続ポート２２を有する。接続ポート２２は第一ブースト回路２４に電気的に接続され、第二出力電圧Ｖ２を出力する。接続ポート２２を経由する第二出力電圧Ｖ２は、分流方式により第一電位Ｖ４、第二電位Ｖ５、及び第三電位Ｖ６を出力する。第一電位Ｖ４は、第一ブースト回路２４に出力し、第一ブースト回路２４により昇圧されて約１１．７から１２．５８ボルト（Ｖ）の電圧、或いは、電気抵抗値により調整されて約３００ミリアンペア（ｍＡ）から５アンペア（Ａ）の範囲内の第一動作電流Ａ２になる。第二電位Ｖ５は、外付け携帯装置４０のハードディスク４１に電気的に接続されている。第一ブースト回路２４は、始動回路２５に電気的に接続されている。始動回路２５は、外付け携帯装置４０のハードディスク４１及び中断回路１２に電気的に接続されている。始動回路２５の第一動作電流Ａ２により第一電源モジュール１０の始動電流Ａ１を替え、外付け携帯装置４０内のハードディスク或いは光学ドライブに安定的な電流を供給し、第二電位Ｖ５はハードディスク４１に電気的に接続することで必要な電圧及び電流を供給する。
【００１６】
主回路モジュール３０は主回路３１及び降圧回路３２を有する。主回路３１に入力される第三電位Ｖ６は、降圧回路３２を経由して降圧され約３．３或いは１．２ボルト（Ｖ）の電圧となり主回路３１に出力される。第一電源モジュール１０の第一電圧源１１と外付け携帯装置４０のハードディスク４１との間に中断回路１２が設けられているので、外付け携帯装置４０の電源が切られた場合、パソコン装置１２０は供給する必要のない電力を外付け携帯装置４０に供給することでデータへのアクセスを継続させ、中断回路１２は第一電圧源１１の持続的な給電を中断し、電源の消耗を抑え、二酸化炭素排出量を削減する効果を得ることができる。
【００１７】
（第三実施形態）
次は、本考案の第三実施形態による電源装置について説明する。
図４に示すように、本実施形態の電源装置２００は、第一電源モジュール１０及び第二電源モジュール２０を備える。第一電源モジュール１０は第一電圧源１１及び第二ブースト回路１３を有する。第一電圧源１１は、リチウム電池、ニッケル水素電池、或いはリチウムイオン電池等の充電式の直流電池１１０である。第一電圧源１１が出力する第一出力電圧Ｖ１は、３．７から７．４ボルト（Ｖ）の範囲内であり、第一電圧源１１は第二ブースト回路１３に電気的に接続されている。第二ブースト回路１３は第一出力電圧Ｖ１を約１１．１から１１．７ボルト（Ｖ）の範囲内まで昇圧し、瞬間の高負荷電流を主回路３１に供給する。始動電流Ａ１の瞬間の電流は約３から５アンペア（Ａ）の範囲内であり、外付け携帯装置４０内に納置されるハードディスク（３．５インチハードディスクを指す）を始動する。第二電源モジュール２０は第一ブースト回路２４及び始動回路２５を有する。第一ブースト回路２４は、ＵＳＢの接続ポート２２に電気的に接続され、第二電圧源２１の第二出力電圧Ｖ２が入力される。第一ブースト回路２４は、始動回路２５及び主回路３１に電気的に接続されている。第一ブースト回路２４は、電圧を１１．７から１２．５８ボルト（Ｖ）まで昇圧する。第一ブースト回路２４は、始動回路２５及び主回路３１に電気的に接続し、主回路３１を動作させるための電流を供給し、第一電源モジュール１０の始動電流Ａ１を替え、外付け携帯装置４０内のハードディスク４１に給電する。第一ブースト回路２４は第一電圧源１１に対し充電を行う。
【００１８】
上述の部材により組成される外付け携帯装置の電源装置２００は、第一電圧源１１が出力する第一出力電圧Ｖ１が３．７から７．４ボルト（Ｖ）である場合、第二ブースト回路１３は第一出力電圧Ｖ１を約１１．１から１１．７ボルト（Ｖ）の範囲内まで昇圧させ、瞬間の高負荷電流を主回路３１へ供給する。始動回路２５は、外付け携帯装置４０のハードディスク４１に電気的に接続され、第一動作電流Ａ２により第一電源モジュール１０の始動電流Ａ１を替え、外付け携帯装置４０内のハードディスク或いは光学ドライブに安定的な電流を供給する。使用される充電式の直流電池１１０は、１つの７．４ボルト（Ｖ）の電池または直列になっている二つの３．７ボルト（Ｖ）の電池であり、複数回充電して使用可能である。
【００１９】
（第四実施形態）
次は、本考案の第四実施形態による電源装置について説明する。
図５に示すように、本実施形態の電源装置は、第一電圧源１１、中断回路１２、及び第二ブースト回路１３を含む第一電源モジュール１０を備える。第一電圧源１１が出力する第一出力電圧Ｖ１は、３．７から７．４ボルト（Ｖ）であり、第一電圧源１１は第二ブースト回路１３に接続されている。第一出力電圧Ｖ１の電圧は、第二ブースト回路１３により、１１．１から１１．７ボルト（Ｖ）の範囲内まで昇圧され、第二動作電流Ａ３及び第三出力電圧Ｖ３になる。第二ブースト回路１３は、中断線路１２に電気的に接続されている。中断線路１２は、３から５アンペア（Ａ）の瞬間の高負荷電流である始動電流Ａ１を発生し、３．５インチハードディスク４１に電気的に接続されている。外付け携帯装置４０内に設置されている３．５インチハードディスク４１は始動電流Ａ１により始動される。
【００２０】
第二電源モジュール２０は、第一ブースト回路２４及び始動回路２５を有する。第二電源モジュール２０はＵＳＢの接続ポート２２を有する。接続ポート２２からの第二出力電圧Ｖ２は、第一電位Ｖ４、第二電位Ｖ５、及び第三電位Ｖ６に分流される。第一電位Ｖ４は、第一ブースト回路２４に出力され、第一ブースト回路２４により約１１．７から１２．５８ボルト（Ｖ）の範囲内の電圧まで昇圧され、または、約３００ミリアンペア（ｍＡ）から５アンペア（Ａ）の範囲内の電流に調整される。ブースト回路２４は始動回路２５に電気的に接続されている。第二出力電圧Ｖ２は始動回路２５に伝送される。始動回路２５は外付け携帯装置４０のハードディスク４１及び中断回路１２に電気的に接続されている。始動回路２５は、第二出力電圧Ｖ２により第一電源モジュール１０の始動電流Ａ１を替え、外付け携帯装置４０内のハードディスク或いは光学ドライブに安定的な電流を供給する。第二電位Ｖ５は外付け携帯装置４０のハードディスク４１に電気的に接続されている。
【００２１】
主回路モジュール３０は主回路３１及び降圧回路３２を有する。主回路３１の第三電位Ｖ６は、降圧回路３２により降圧され、約３．３或いは１．２ボルト（Ｖ）になる。上述の部材により組成される外付け携帯装置の電源装置２００は、Ｙ字型のＵＳＢ伝送線５０をパソコン装置１２０（図２に示すように、）の第一インターフェース出力ポート１２２及び第二インターフェース出力ポート１２３に接続され、第一インターフェース出力ポート１２２及び第二インターフェース出力ポート１２３は、第一電圧Ｖａ及び第二電圧Ｖｂを出力し、ＵＳＢ伝送線５０により第二電源モジュール２０のＵＳＢ（ＵＳＢ）の接続ポート２２に伝送された電圧を第二出力電圧Ｖ２とする。接続ポート２２からの第二出力電圧Ｖ２は、第一電位Ｖ４、第二電位Ｖ５、及び第三電位Ｖ６に分流される。第一電位Ｖ４は、第一ブースト回路２４に出力され、第一ブースト回路２４により昇圧されて出力される電圧は約１１．７から１２．５８ボルト（Ｖ）の範囲内の電圧であり、或いは、この電流は電気抵抗値により約３００ミリアンペア（ｍＡ）から５アンペア（Ａ）の範囲内に調整される。ブースト回路２４は、始動回路２５に電気的に接続されている。始動回路２５は、外付け携帯装置４０のハードディスク４１及び中断回路１２に電気的に接続されている。始動回路２５は、第二出力電圧Ｖ２により第一電源モジュール１０の始動電流Ａ１を替え、外付け携帯装置４０内のハードディスク或いは光学ドライブに安定的な電流を供給する。第二電位Ｖ５は、外付け携帯装置４０のハードディスク４１に伝送される。第三電位Ｖ６は、降圧回路３２に電気的に接続され、主回路３１に必要な電圧及び電流を供給し、３．５インチハードディスク４１を制御する。これにより、外付け携帯装置４０のハードディスク４１は、Ｙ字型のＵＳＢ伝送線５０を携帯するのみでパソコン装置１２０から供給される電力により外付け携帯装置４０を持続的に作動させることができ、外付け電源、変圧器、或いは１２ボルト（Ｖ）の電源供給装置が不要となり、携帯性及び移動性を高めることができる。ユーザーは、ハードディスクを容易に携帯することができる。ＵＳＢ伝送線５０から外付け携帯装置４０への電力供給が停止すると、第二ブースト回路１３に電気的に接続されている中断線路１２により、電気的に接続されている第二ブースト回路１３及び第一電圧源１１の充電式の直流電池１１０の給電を中断する。充電式の直流電池１１０は、長期間使用可能になり、始動回路２５から出力される第一動作電流Ａ２は、３．５インチハードディスク４１に必要な電圧及び電流を持続的に供給し、第一電圧源１１に対し充電を行う。充電式の直流電池１１０は、複数回充電して使用することができ、使い捨て電池に比べ、環境に良い。
【００２２】
上述の実施形態は本考案の技術思想及び特徴を説明するためのものにすぎず、当技術分野を熟知する者に本考案の内容を理解させると共にこれを実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２３】
１０・・・第一電源モジュール、
１１・・・第一電圧源、
１２・・・中断回路、
１３・・・第二ブースト回路、
２０・・・第二電源モジュール、
２１・・・第二電圧源、
２２・・・接続ポート、
２４・・・第一ブースト回路、
２５・・・始動回路、
３０・・・主回路モジュール、
３１・・・主回路、
３２・・・降圧回路、
４０・・・外付け携帯装置、
４１・・・ハードディスク、
５０・・・ＵＳＢ伝送線、
１１０・・・充電式の直流電池、
１２０・・・パソコン装置、
１２２・・・第一インターフェース出力ポート、
１２３・・・第二インターフェース出力ポート、
２００・・・電源装置、
Ａ１・・・始動電流、
Ａ２・・・第一動作電流、
Ａ３・・・第二動作電流、
Ｖ１・・・第一出力電圧、
Ｖ２・・・第二出力電圧、
Ｖ３・・・第三出力電圧、
Ｖ４・・・第一電位、
Ｖ５・・・第二電位、
Ｖ６・・・第三電位、
Ｖａ・・・第一電圧、
Ｖｂ・・・第二電圧。
【図１】
0003183242.tif 000003
【図２】
0003183242.tif 000004
【図３】
0003183242.tif 000005
【図４】
0003183242.tif 000006
【図５】
0003183242.tif 000007